(57)【要約】【課題】極めて簡単に一定幅の目地を形成することができる補助工具を提供する。【解決手段】目地幅と同じ厚さを有する板材１，２に、その背面から突出させ得る蓄針３，３と前記背面に吸着力を付与し得る磁石４，４の両方を備える。この目地形成用スペーサーを単品で用いると、板材１，２の厚さをそのまま利用するだけで、ボードＢとボードＢの縦方向と横方向の間隔を極めて簡単に一定ならしめることができる。一方の板材１にその正面側から結合用の切欠1aを、他方の板材２にその背面側から結合用の切欠2aを設ける。そして、両切欠1a，2aを利用して２枚の板材１，２を十字状に結合させて用いることもできる。【選択図】図１
2007191883.tif 000002
【特許請求の範囲】
【請求項１】
目地幅と同じ厚さを有する板材に、その背面から突出させ得る蓄針と前記背面に吸着力を付与し得る磁石の少なくともいずれか一方が備えられていることを特徴とする目地形成用スペーサー。
【請求項２】
目地幅と同じ厚さを有する板材に、その背面から突出させ得る蓄針と前記背面に吸着力を付与し得る磁石の少なくともいずれか一方が備えられ、一方の板材１にはその正面側から結合用の切欠1aが、他方の板材２にはその背面側から結合用の切欠2aが設けられ、両切欠1a，2aを利用して２枚の板材１，２を十字状に結合したことを特徴とする目地形成用スペーサー。
【請求項３】
板材の背面から突出させ得る蓄針と前記背面に吸着力を付与し得る磁石の両方を備えていることを特徴とする請求項１又は２記載の目地形成用スペーサー。
【請求項４】
蓄針の頭と連繋するネジを、板材の正面側に備えたことを特徴とする請求項１〜３のいずれかに記載の目地形成用スペーサー。
【発明の詳細な説明】
【技術分野】
【０００１】
本発明は、鋼製、木製あるいは石膏ボード製の下地材の上に化粧板や合板その他のボードを張るに当って、目地を形成するために用いる補助工具に関するものである。
【背景技術】
【０００２】
鋼製、木製あるいは石膏ボード製の下地材の上には、通常、化粧板や合板その他のボードが張られるが、ボードとボードの間隔が一定でないと、施工後の目地幅が一定とならないので、仕上がりが良くない。
【０００３】
そこで、従来、ボードとボードの間隔を一定ならしめるために、例えば、連接するボードとボードの奥側の側面に目地幅にほぼ等しいバックアップ材を貼着しておき、ボードを調整しながら張り付け、最終的に目地仕上げ又は目地材（シール材）を充填する方式が採られている（特許文献１参照）。
【０００４】
【特許文献１】特開平６−３３０６０４号公報
【発明の開示】
【発明が解決しようとする課題】
【０００５】
しかしながら、この場合には、ボードとボードの間隔を一定ならしめるための施工上の微調整が必要であり、熟練を要する。従って、施工時間がかかるのみならず、それにたけた専門工が必要となる。
このような欠点は、極めて簡単に一定幅の目地を形成することができれば、容易に解消することができる。
本発明は、このような要望に応えることができる補助工具を提供することを目的とするものである。
【課題を解決するための手段】
【０００６】
前記目的を達成するために、本発明による目地形成用スペーサーは、目地幅と同じ厚さを有する板材に、その背面から突出させ得る蓄針と前記背面に吸着力を付与し得る磁石の少なくともいずれか一方が備えられたものである。
【０００７】
この目地形成用スペーサーを用いると、板材の厚さをそのまま利用するだけで、ボードとボードの縦方向と横方向の間隔を極めて簡単に一定ならしめることができる。従って、縦方向と横方向の目地幅を一定ならしめるための施工上の微調整が不要となり、熟練を要しないのみならず、施工時間を短縮することができ、専門工も不要になる。
【０００８】
また、本発明による目地形成用スペーサーは、目地幅と同じ厚さを有する板材に、その背面から突出させ得る蓄針と前記背面に吸着力を付与し得る磁石の少なくともいずれか一方が備えられ、一方の板材１にはその正面側から結合用の切欠1aが、他方の板材２にはその背面側から結合用の切欠2aが設けられ、両切欠1a，2aを利用して２枚の板材１，２が十字状に結合されたものである。
【０００９】
この目地形成用スペーサーは４枚のボードのコーナー部分で用いることができ、ボードとボードの縦方向と横方向の間隔ならびに４枚のボードの付き合わせ部分の間隔を極めて簡単に一定ならしめることができる。従って、縦方向と横方向の目地幅と十字状にクロスする部分の目地幅を一定ならしめるための施工上の微調整が不要となり、熟練を要しないのみならず、施工時間を短縮することができ、専門工も不要になる。
【００１０】
木製あるいは石膏ボード製のような蓄針を突き刺し得る下地材の上に化粧板や合板その他のボードを張る場合には、板材の背面から蓄針を突出させる。板材の背面から突出している蓄針の先を下地材に突き刺せば、蓄針を突き刺し得る下地材に、本発明による目地形成用スペーサーを簡単に固定することができるのみならず、ボードを張る作業ならびに目地を形成するための作業が一層容易となる。
【００１１】
逆に、鋼製のような蓄針を突き刺すことができない下地材の上に化粧板や合板その他のボードを張る場合には、蓄針を板材の内部に潜り込ませ、背面から蓄針の先が見えなくなるようにする。この場合には、板材に備えられている磁石の磁力で本発明による目地形成用スペーサーを簡単に固定することができるのみならず、ボードを張る作業ならびに目地を形成するための作業が一層容易となる。
【００１２】
このように、本発明による目地形成用スペーサーは、蓄針を突き刺し得る下地材と蓄針を突き刺すことができない下地材とに応じて使い分けることができるので、極めて便利であり、２種類の下地材にボードを張る場合にいずれも使用できる。
【００１３】
板材の背面から突出させ得る蓄針と前記背面に吸着力を付与し得る磁石の両方を備えていることが望ましい。この場合には、１つの目地形成用スペーサーで蓄針を突き刺し得る下地材と蓄針を突き刺すことができない下地材とに応じて２通りの使い方ができる。すなわち、上述したように、蓄針を突き刺し得る下地材と蓄針を突き刺すことができない下地材とに応じて使い分けることができるので、それぞれの形式のものを別途用意する必要がない。
【００１４】
蓄針の頭と連繋するネジを、板材の正面側に備えておくのが望ましい。ネジをねじ込むと、板材の背面から蓄針の先を極めて簡単に突出させることができる。逆に、ネジを緩めると、蓄針を極めて簡単に板材の内部に潜り込ませることができ、背面から蓄針の先が見えなくなる。
蓄針の頭と連繋するネジをねじ込んだり、緩めるだけで、蓄針を突き刺し得る下地材と蓄針を突き刺すことができない下地材とに応じた使い分けを極めて簡単かつ迅速に行うことができる。
【発明の効果】
【００１５】
請求項１記載の目地用スペーサーを用いれば、ボードとボードの縦方向と横方向の間隔を極めて簡単に一定ならしめることができるので、縦方向と横方向の目地幅を一定ならしめるための施工上の微調整が不要となり、熟練を要しないのみならず、施工時間を短縮することができ、専門工も不要になる。
【００１６】
請求項２記載の目地用スペーサーを４枚のボードのコーナー部分で用いれば、ボードとボードの縦方向と横方向の間隔ならびにボードとボードの付き合わせ部分の間隔を極めて簡単に一定ならしめることができるので、縦方向と横方向の目地幅と十字状にクロスする部分の目地幅を一定ならしめるための施工上の微調整が不要となり、熟練を要しないのみならず、施工時間を短縮することができ、専門工も不要になる。
【００１７】
また、請求項１又は２記載の発明によれば、蓄針を突き刺し得る下地材と蓄針を突き刺すことができない下地材とに応じて使い分けることができるので、極めて便利であり、２種類の下地材にボードを張る場合にいずれも使用できる。
【００１８】
請求項３記載の発明によれば、１つの目地形成用スペーサーで蓄針を突き刺し得る下地材と蓄針を突き刺すことができない下地材とに応じて２通りの使い方ができるので、それぞれの形式のものを別途用意する必要がない。
【００１９】
請求項４記載の目地用スペーサーは、蓄針の頭と連繋するネジをねじ込んだり、緩めるだけで、蓄針を突き刺し得る下地材と蓄針を突き刺すことができない下地材とに応じた使い分けを極めて簡単かつ迅速に行うことができる。
【発明を実施するための最良の形態】
【００２０】
本発明による目地形成用スペーサーの好ましい実施の形態を、図面に基いて詳細に説明する。図１(a)に、２種類の目地形成用スペーサーを示す。これらはいずれも目地Ｃの幅と同じ厚さを有する板材１，２からなっており、図１(b)、(c)に示すように、その背面から突出させ得る２本の蓄針３，３と前記背面に吸着力を付与し得る２つの磁石４，４の両方が備えられている。蓄針３と磁石４に関しては、少なくとも蓄針３と磁石４のいずれか一方が備えられている形態としても良い。
【００２１】
これら２種類の目地用スペーサーは、いずれもそれ１つ（単品）で使用することができる。例えば、図４のＡで示すように、２種類の目地用スペーサーを単品で使用し、その厚さをそのまま利用するだけで、ボードＢとボードＢの縦方向と横方向の間隔を極めて簡単に一定ならしめることができる。従って、縦方向と横方向の目地Ｃの幅を一定ならしめるための施工上の微調整が不要となり、熟練を要しないのみならず、施工時間を短縮することができ、専門工も不要になる。
なお、図４のＡでは、２種類の目地用スペーサーのうち、板材１からなる目地用スペーサーを使用している場合を例示してある。
【００２２】
２枚の板材１，２のうち、一方の板材１にはその正面側から結合用の切欠1aが、他方の板材２にはその背面側から結合用の切欠2aが設けられている。両切欠1a，2aは２枚の板材１，２を十字状に結合するための結合手段であり、両切欠1a，2aを利用して２枚の板材１，２を図３に示すように十字状に結合することができる。
【００２３】
２枚の板材１，２を十字状に結合したこの目地形成用スペーサーは、図４のＡ’で示すように、４枚のボードＢのコーナー部分で用いることができ、ボードＢとボードＢの縦方向と横方向の間隔ならびに４枚のボードＢの付き合わせ部分の間隔を極めて簡単に一定ならしめることができる。従って、縦方向と横方向の目地Ｃの幅と十字状にクロスする部分の目地Ｃ’の幅を一定ならしめるための施工上の微調整が不要となり、熟練を要しないのみならず、施工時間を短縮することができ、専門工も不要になる。
【００２４】
なお、ここに例示する目地形成用スペーサーを用いることにより、ボードＢとボードＢの縦方向と横方向の間隔ならびに４枚のボードＢの付き合わせ部分の間隔が一定となるようにボードＢ，Ｂをそれぞれ張り付けることができれば、しかる後、縦方向と横方向の目地Ｃと十字状にクロスする部分の目地Ｃ’に目地仕上げ又は目地材（シール材）を充填するのが、通常の施工方法である。
【００２５】
木製あるいは石膏ボード製のような蓄針３を突き刺し得る下地材Ｄ（図４参照）の上に化粧板や合板その他のボードＢを張る場合には、板材１又は２あるいは板材１及び２の背面から蓄針３，３を突出させる。板材１又は２あるいは板材１及び２の背面から突出している蓄針３，３の先を下地材Ｄに突き刺せば、蓄針３を突き刺し得る下地材Ｄに、ここに例示する目地形成用スペーサーを簡単に固定することができるのみならず、ボードＢを張る作業ならびに目地Ｃ，Ｃ’を形成するための作業が一層容易となる。
【００２６】
逆に、鋼製のような蓄針３を突き刺すことができない下地材Ｄの上に化粧板や合板その他のボードＢを張る場合には、蓄針３，３を板材１又は２あるいは板材１及び２の内部に潜り込ませ、背面から蓄針３，３の先が見えなくなるようにする。この場合には、板材１又は２あるいは板材１及び２に備えられている磁石４，４の磁力でここに例示する目地形成用スペーサーを簡単に固定することができるのみならず、ボードＢを張る作業ならびに目地Ｃ，Ｃ’を形成するための作業が一層容易となる。
【００２７】
このように、ここに例示する目地形成用スペーサーは、蓄針３を突き刺し得る下地材Ｄと蓄針３を突き刺すことができない下地材Ｄとに応じて使い分けることができるので、極めて便利であり、２種類の下地材Ｄにボードを張る場合にいずれも使用できる。
【００２８】
ここに例示する目地形成用スペーサーは、板材１又は２あるいは板材１及び２の背面から突出させ得る蓄針３と前記背面に吸着力を付与し得る磁石４の両方を備えている。従って、１つのスペーサーで蓄針３を突き刺し得る下地材Ｄと蓄針３を突き刺すことができない下地材Ｄとに応じて２通りの使い方ができ、それぞれの形式のものを別途用意する必要がない。
【００２９】
また、ここに例示する目地形成用スペーサーにあっては、蓄針３，３の頭と連繋するネジ５，５が板材１，２の正面側に備えられている。ネジ５，５をねじ込むと、板材１又は２あるいは板材１及び２の背面から蓄針３，３の先を極めて簡単に突出させることができる。逆に、ネジ５，５を緩めると、蓄針３，３を極めて簡単に板材１又は２あるいは板材１及び２の内部に潜り込ませることができ、背面から蓄針３，３の先が見えなくなる。
蓄針３，３の頭と連繋するネジ５，５をねじ込んだり、緩めるだけで、蓄針３を突き刺し得る下地材Ｄと蓄針３を突き刺すことができない下地材Ｄとに応じた使い分けを極めて簡単かつ迅速に行うことができる。
【００３０】
図２に示すように、蓄針３，３の頭と連繋するネジ５，５を緩めた場合には、板材１又は２あるいは板材１及び２の背面から蓄針３，３の先が見えなくなり、それを挿通させ得る孔3a，3aが現われる。
なお、図２では、蓄針３，３の頭と連繋するネジ５，５が蓄針３，３から分離している状態で示してある。
【００３１】
磁石４，４を板材１又は２あるいは板材１及び２の中に埋め込んでおいても、板材１又は２あるいは板材１及び２の背面側に露出させておいても良い。前者の形態としても、鋼製のような蓄針３を突き刺すことができない下地材Ｄに目地用スペーサーを吸着させ得る吸着力を得ることができれば、それで十分である。一方、より強力な吸着力を得るためには、磁石４，４を板材１又は２あるいは板材１及び２の中に埋め込まないで、図１(b)，(c)、図２、図３(b)に示すように、板材１，２の背面側に露出させておくのが良い。
【００３２】
なお、板材１，２は通常合成樹脂製として目地用スペーサーをできるだけ軽いものとするのが良く、さらに、板材１，２を色付きとすればカラフルとなる。
【図面の簡単な説明】
【００３３】
【図１】本発明による目地用スペーサーの一例を示すもので、(a)は単品で使用できる２種類の目地用スペーサーの斜視図、(b)はそのうちの一方の横断面図、(c)はもう一方の縦断面図である。
【図２】図１に示す２種類の目地用スペーサーのうちの一方のスペーサーであって、蓄針の頭と連繋するネジを緩めた場合の斜視図で、ネジが蓄針から分離している状態で示す。
【図３】図１に示す２種類の目地用スペーサーを結合した状態を示すもので、(a)は正面側から見た斜視図、(b)は背面側から見た斜視図である。
【図４】本発明による目地用スペーサーの使用状態の一例を示す斜視図である。
【符号の説明】
【００３４】
１，２…板材、1a，2a…切欠、３…蓄針、3a…孔、４…磁石、５ネジ、Ｂ…ボード、Ｃ，Ｃ’…目地、Ｄ…下地材。
【図１】
2007191883.tif 000003
【図２】
2007191883.tif 000004
【図３】
2007191883.tif 000005
【図４】
2007191883.tif 000006